(57)【要約】【課題】運動中の選手を表示する映像において、選手の運動状態を容易に把握する。【解決手段】選手状態表示システム１は、選手の運動状態に関する情報を含む選手映像を表示する表示装置４を備え、プロセッサ２１は、運動中の選手を撮影した解析用映像から得られた情報に基づき、その選手の少なくとも１つの所定動作に対応する移動区間を可視化した選手状態表示画像３１を生成し、運動中の選手を含む映像に選手状態表示画像３１を重畳した映像を選手映像として生成する。【選択図】図２
2018126310.tif 000002
【特許請求の範囲】
【請求項１】
選手の運動状態に関する情報を含む選手映像を生成する処理をプロセッサにより実行する選手状態表示システムであって、
前記選手映像を表示する表示装置を備え、
前記プロセッサは、
運動中の前記選手を撮影した解析用映像から得られた情報に基づき、前記選手の少なくとも１つの所定動作に対応する移動区間を可視化した選手状態表示画像を生成し、前記運動中の選手を含む映像に前記選手状態表示画像を重畳した映像を前記選手映像として生成することを特徴とする選手状態表示システム。
【請求項２】
前記プロセッサは、
前記移動区間における前記選手の身体の所定部分に関する複数の状態を可視化した部分状態画像を含む前記選手状態表示画像を生成することを特徴とする請求項１に記載の選手状態表示システム。
【請求項３】
前記運動中の選手は、泳者であり、
前記選手状態表示画像は、前記泳者の１つのストロークに対応する移動区間であるストローク区間を可視化した画像であることを特徴とする請求項１に記載の選手状態表示システム。
【請求項４】
前記プロセッサは、
前記ストローク区間における前記泳者の上半身または腕に関する複数の状態を可視化した部分状態画像を含む前記選手状態表示画像を生成することを特徴とする請求項３に記載の選手状態表示システム。
【請求項５】
前記プロセッサは、
前記泳者がストロークを伴わずに移動する潜水区間を可視化した潜水状態画像を含む前記選手状態表示画像を生成することを特徴とする請求項３または請求項４に記載の選手状態表示システム。
【請求項６】
前記プロセッサは、
前記解析用映像から得られた情報に基づき、前記ストローク区間に基づくストローク回数、移動距離、及び移動速度のうちの少なくとも１つに関する数値データを取得し、前記数値データに関する数値画像を含む前記選手状態表示画像を生成することを特徴とする請求項３から請求項５のいずれかに記載の選手状態表示システム。
【請求項７】
前記プロセッサは、
前記泳者の所定の前記ストローク区間における当該泳者の予め設定された運動状態指標が最大または最小である場合、当該ストローク区間を強調表示した前記選手状態表示画像を生成することを特徴とする請求項３から請求項６のいずれかに記載の選手状態表示システム。
【請求項８】
前記プロセッサは
前記映像に複数のレーンでそれぞれ水泳中の複数の泳者が含まれる場合、前記選手状態表示画像を生成すべき少なくとも１人の泳者の選択をユーザに促す泳者選択画面を前記表示装置へ出力することを特徴とする請求項３から請求項７のいずれかに記載の選手状態表示システム。
【請求項９】
前記プロセッサは、
前記選手の身体の所定部分に関する状態の数をユーザに設定させる状態数設定画面を前記表示装置へ出力することを特徴とする請求項２に記載の選手状態表示システム。
【請求項１０】
前記プロセッサは、
前記選手映像に重畳すべき前記ストローク回数、前記移動距離、及び前記移動速度に関する前記数値画像のうちの少なくとも１つの選択をユーザに促すデータ選択画面を前記表示装置へ出力することを特徴とする請求項６に記載の選手状態表示システム。
【請求項１１】
選手の運動状態に関する情報を含む選手映像を生成する処理をプロセッサにより実行する選手状態表示方法であって、
運動中の前記選手を撮影した解析用映像から得られた情報に基づき、前記選手の少なくとも１つの所定動作に対応する移動区間を可視化した選手状態表示画像を生成し、前記運動中の選手を含む映像に前記選手状態表示画像を重畳した映像を前記選手映像として表示装置に対して出力することを特徴とする選手状態表示方法。
【発明の詳細な説明】
【技術分野】
【０００１】
本開示は、選手の運動状態を映像として表示する選手状態表示システムおよび選手状態表示方法に関する。
【背景技術】
【０００２】
運動選手の競技力の向上のためには、競技中、練習中などの運動中の選手の状態（各動作のペースおよび姿勢など）を適切に把握することが重要とされている。例えば、競泳の分野では、水泳中の泳者の各ストロークの実行に要する時間や各ストロークにより進行する距離等のストロークに関する情報（以下、「ストローク情報」という。）を迅速かつ正確に測定することが望まれている。
【０００３】
従来、競泳における泳者の運動状態に関する情報を取得するための技術として、水泳中の泳者を撮像手段により撮像し、これにより取得された画像を解析することにより、ストローク情報を取得する装置が知られている（特許文献１−３参照）。この種の装置によれば、ストローク情報を取得するために、人手に頼る（例えば、実際の競技や競技を撮影した映像を見ながら、選手の運動状態に関する種々の計測を人が行う）必要はないという利点がある。
【先行技術文献】
【特許文献】
【０００４】
【特許文献１】特許第４６４３８５６号公報
【特許文献２】特許第３８４４９８９号公報
【特許文献３】特許第４２３４４０７号公報
【発明の概要】
【発明が解決しようとする課題】
【０００５】
ところで、上記特許得文献１−３に記載の従来技術では、画像の解析により取得されたストローク情報（例えば、各ストロークに要する時間の推移を示すグラフ）をモニタに表示可能であるが、それらのストローク情報の表示は、選手の運動状態を容易に把握できるものではなかった。
【０００６】
本開示は、このような従来技術の課題を鑑みて案出されたものであり、運動中の選手を表示する映像において、選手の運動状態を容易に把握可能とする選手状態表示システムおよび選手状態表示方法を提供することを主目的とする。
【課題を解決するための手段】
【０００７】
本開示の運動選手状態表示システムは、選手の運動状態に関する情報を含む選手映像を生成する処理をプロセッサにより実行する選手状態表示システムであって、前記選手映像を表示する表示装置を備え、前記プロセッサは、運動中の前記選手を撮影した解析用映像から得られた情報に基づき、前記選手の少なくとも１つの所定動作に対応する移動区間を可視化した選手状態表示画像を生成し、前記運動中の選手を含む映像に前記選手状態表示画像を重畳した映像を前記選手映像として生成することを特徴とする。
【発明の効果】
【０００８】
本開示によれば、運動中の選手を表示する映像において、選手の運動状態を容易に把握することが可能となる。
【図面の簡単な説明】
【０００９】
【図１】実施の形態に係る選手状態表示システムの適用例を示す図
【図２】図１に示した選手状態表示システムのブロック図
【図３】図１に示した選手状態表示システムによる選手映像（単独表示）を示す図
【図４】図３に示した選手映像（単独表示）の変形例を示す図
【図５】図３に示した選手映像に表示される身体状態の第１の例（自由形２状態）を示す図
【図６】図３に示した選手映像に表示される身体状態の第２の例（バタフライ２状態）を示す図
【図７】図３に示した選手映像に表示される身体状態の第３の例（平泳ぎ２状態）を示す図
【図８】図６に示した身体状態の変形例（自由形４状態）を示す図
【図９】図１に示した身体状態表示システムによる選手映像（複数表示）を示す図
【図１０】図９に示した選手映像の変形例を示す図
【図１１】図３に示した選手映像における選手映像の設定画面の一例を示す図
【図１２】図１に示した映像生成装置による選手映像の生成処理の流れを示すフロー図
【図１３】図２に示した映像生成装置による原映像用カメラの撮影方向の変形例を示す図
【発明を実施するための形態】
【００１０】
上記課題を解決するためになされた第１の発明は、選手の運動状態に関する情報を含む選手映像を生成する処理をプロセッサにより実行する選手状態表示システムであって、前記選手映像を表示する表示装置を備え、前記プロセッサは、運動中の前記選手を撮影した解析用映像から得られた情報に基づき、前記選手の少なくとも１つの所定動作に対応する移動区間を可視化した選手状態表示画像を生成し、前記運動中の選手を含む映像に前記選手状態表示画像を重畳した映像を前記選手映像として生成することを特徴とする。
【００１１】
これによると、運動中の選手を含む映像に選手状態表示画像を重畳した選手映像が表示装置に表示されるため、運動中の選手を表示する映像において、選手の運動状態を容易に把握することが可能となる。
【００１２】
また、第２の発明では、前記プロセッサは、前記移動区間における前記選手の身体の所定部分に関する複数の状態を可視化した部分状態画像を含む前記選手状態表示画像を生成することを特徴とする。
【００１３】
これによると、選手の移動区間における当該選手の身体の所定部分に関する状態を可視化した部分状態画像がさらに重畳された選手映像が表示装置に表示されるため、運動中の選手を表示する映像において、選手の運動状態をより容易に把握することが可能となる。
【００１４】
また、第３の発明では、前記運動中の選手は、泳者であり、前記選手状態表示画像は、前記泳者の１つのストロークに対応する移動区間であるストローク区間を可視化した画像であることを特徴とする。
【００１５】
これによると、水泳中の泳者の映像にストローク区間を可視化した画像を重畳した選手映像が表示装置に表示されるため、水泳中の泳者を表示する映像において、泳者の運動状態を容易に把握することが可能となる。
【００１６】
また、第４の発明では、前記プロセッサは、前記ストローク区間における前記泳者の上半身または腕に関する複数の状態を可視化した部分状態画像を含む前記選手状態表示画像を生成することを特徴とする。
【００１７】
これによると、泳者のストローク区間における当該選手の上半身または腕に関する状態を可視化した部分状態画像がさらに重畳された選手映像が表示装置に表示されるため、水泳中の泳者を表示する映像において、泳者の運動状態をより容易に把握することが可能となる。
【００１８】
また、第５の発明では、前記プロセッサは、前記泳者がストロークを伴わずに移動する潜水区間を可視化した潜水状態画像を含む前記選手状態表示画像を生成することを特徴とする。
【００１９】
これによると、泳者の潜水区間を可視化した潜水状態画像がさらに重畳された選手映像が表示装置に表示されるため、水泳中の泳者を表示する映像において、泳者の潜水状態をより容易に把握することが可能となる。
【００２０】
また、第６の発明では、前記プロセッサは、前記解析用映像から得られた情報に基づき、前記ストローク区間に基づくストローク回数、移動距離、及び移動速度のうちの少なくとも１つに関する数値データを取得し、前記数値データに関する数値画像を含む前記選手状態表示画像を生成することを特徴とする。
【００２１】
これによると、泳者のストローク区間に基づくストローク回数、移動距離、及び移動速度のうちの少なくとも１つに関する数値データが表示装置に表示されるため、水泳中の泳者を表示する映像において、泳者の運動状態をより容易に把握することが可能となる。
【００２２】
また、第７の発明では、前記泳者の所定の前記ストローク区間における当該泳者の予め設定された運動状態指標が最大または最小である場合、当該ストローク区間を強調表示した前記選手状態表示画像を生成することを特徴とする。
【００２３】
これによると、予め設定された運動状態指標（例えば、ストローク区間の長さ、移動速度など）が最大または最小となるストローク区間を強調表示した選手状態表示画像が表示装置に表示されるため、水泳中の泳者を表示する映像において、泳者の運動状態をより容易に把握することが可能となる。
【００２４】
また、第８の発明では、前記プロセッサは前記映像に複数のレーンでそれぞれ水泳中の複数の泳者が含まれる場合、前記選手状態表示画像を生成すべき少なくとも１人の泳者の選択をユーザに促す泳者選択画面を前記表示装置へ出力することを特徴とする。
【００２５】
これによると、映像に水泳中の複数の泳者が含まれる場合でも、ユーザの選択に基づき所望の選手状態表示画像を容易に生成することが可能となる。
【００２６】
また、第９の発明では、前記プロセッサは、前記選手の身体の所定部分に関する状態の数をユーザに設定させる状態数設定画面を前記表示装置へ出力することを特徴とする。
【００２７】
これによると、ユーザの選択に基づき、所望の数の状態が可視化された部分状態画像が重畳された選手映像を容易に取得することが可能となる。
【００２８】
また、第１０の発明では、前記プロセッサは、前記選手映像に重畳すべき前記ストローク回数、前記移動距離、及び前記移動速度に関する前記数値画像のうちの少なくとも１つの選択をユーザに促すデータ選択画面を前記表示装置へ出力することを特徴とする。
【００２９】
これによると、ユーザの選択に基づき、所望の数値データが重畳された選手映像を容易に取得することが可能となる。
【００３０】
また、第１１の発明では、選手の運動状態に関する情報を含む選手映像を生成する処理をプロセッサにより実行する選手状態表示方法であって、運動中の前記選手を撮影した解析用映像から得られた情報に基づき、前記選手の少なくとも１つの所定動作に対応する移動区間を可視化した選手状態表示画像を生成し、前記運動中の選手を含む映像に前記選手状態表示画像を重畳した映像を前記選手映像として表示装置に対して出力することを特徴とする。
【００３１】
これによると、運動中の選手を含む映像に選手状態表示画像を重畳した選手映像が表示装置に表示されるため、運動中の選手を表示する映像において、選手の運動状態を容易に把握することが可能となる。
【００３２】
以下、本開示の実施の形態について図面を参照しながら説明する。
【００３３】
図１は、実施の形態に係る選手状態表示システム１の適用例を示す図である。
【００３４】
選手状態表示システム１は、運動中の選手を撮影するカメラ２Ａ、２Ｂと、カメラ２Ａ、２Ｂで撮影された映像に基づき、選手の運動状態に関する情報（以下、「運動状態情報」という。）を含む映像（以下、「選手映像」という。）を生成する映像生成装置３と、映像生成装置３で生成された選手映像を表示する表示装置４とを備える。選手状態表示システム１のユーザ（例えば、選手自身、選手のコーチ、一般の視聴者など）は、表示装置４に表示される選手映像を見ることにより、選手の運動状態を容易に把握することが可能となる。
【００３５】
以下では、運動中の選手の例として、プール５で水泳中（競技中または練習中）の泳者（図１では非図示）について説明する。
【００３６】
カメラ２Ａ、２Ｂは、それぞれ公知の撮影機能や通信機能を有するビデオカメラである。ここでは、カメラ２Ａは、後に詳述する映像生成装置３による泳者の運動状態の解析（すなわち、運動状態情報の取得）に用いられる解析用映像を撮影するカメラ（以下、「解析用カメラ」という。）である。また、カメラ２Ｂは、映像生成装置３で生成される選手映像の原映像（すなわち、後に詳述する運動状態情報を可視化した画像が重畳される運動中の選手を含む映像）を撮影するカメラ（以下、「原映像用カメラ」という。）である。
【００３７】
これに限らず、選手状態表示システム１では、１台のカメラにより解析用映像および原映像の双方を取得する（すなわち、原映像を解析用映像として泳者の運動状態の解析を行う）構成も可能である。また、解析用カメラ２Ａおよび原映像用カメラ２Ｂは、それぞれ水泳中の泳者の映像を撮影可能なようにプール５を俯瞰可能な位置に配置されるが、それらの設置位置はそれぞれ個別に変更可能である。また、両カメラ２Ａ、２Ｂは、必ずしも同一の構成を有する必要はなく、また、少なくとも対象となる水泳中の泳者を同時に撮影可能であれば、撮影した映像中の被写体の撮影方向やサイズ等が互いに異なってもよい。また、解析用カメラ２Ａや原映像用カメラ２Ｂを複数台配置し、プール５を複数区間に分割し、各区間を各解析用カメラ２Ａや各原映像用カメラ２Ｂで撮影する構成としてもよい。
【００３８】
映像生成装置３は、公知の構成を有するコンピュータからなり、選手映像を生成するための所定のプログラムがインストールされている。映像生成装置３で生成された選手映像は、表示装置４に対して出力される。なお、映像生成装置３としては、必要な情報処理を実行可能な限りにおいて、汎用のＰＣや、サーバ等の任意の情報処理装置を用いることができる。
【００３９】
表示装置４は、公知の構成を有するディスプレイ（例えば、液晶ディスプレイ）から構成される。表示装置４の構成は、少なくとも映像生成装置３から出力された選手映像を表示可能な限りにおいて種々の変更が可能である。また、表示装置４は、必要に応じて複数配置することもできる。
【００４０】
なお、選手状態表示システム１では、表示装置４を省略し、映像生成装置３の表示部２３（図２参照）のみによって選手映像を表示する構成も可能である。また、選手映像がテレビジョン放送のためのコンテンツとして用いられる場合には、その放送の受信装置を表示装置４が構成してもよい。
【００４１】
選手状態表示システム１において、カメラ２Ａ、２Ｂ、映像生成装置３、及び表示装置４は、互いに必要となるデータや情報を送受信可能なように、専用回線や、公知のネットワーク（例えば、ＬＡＮや公衆回線等）を介して相互に接続されている。
【００４２】
プール５は、公知の競泳用プールと同様の構成を有しており、複数のコースロープ１１で仕切られた複数のレーン１２が設けられている。なお、プール５の構造については、少なくとも１人の泳者が水泳の競技または練習を行うことが可能な限りにおいて、種々の変更が可能である。
【００４３】
図２は、図１に示した選手状態表示システム１のブロック図であり、図３は、図１に示した選手状態表示システム１による選手映像（単独表示）を示す図であり、図４は、図３選手映像の変形例を示す図である。
【００４４】
図２に示すように、映像生成装置３には、所定のプログラムに基づき、装置各部の動作を統括的に制御するとともに、選手映像を生成する処理を実行するプロセッサ２１が設けられている。図示は省略するが、映像生成装置３は、プロセッサ２１のワークエリア等として機能する揮発性メモリであるＲＡＭ（Random Access Memory）や、プロセッサ２１が実行するプログラムやデータを格納する不揮発性メモリであるＲＯＭ（Read Only Memory）等を有している。
【００４５】
プロセッサ２１は、解析用カメラ２Ａから取得した解析用映像を解析することにより得られた泳者の運動状態情報に基づき、その泳者の少なくとも１つの所定動作（ここでは、１つのストローク）に対応する移動区間（以下、「ストローク区間」という。）を可視化した選手状態表示画像を生成する処理を実行する。さらに、プロセッサ２１は、その選手状態表示画像を原映像用カメラ２Ｂから取得した水泳中の泳者を含む原映像に対して重畳（合成）した映像を選手映像として生成する処理を実行する。なお、用語「ストローク」は、必ずしも手で水をかく１回の動作に厳密に限定されるものではなく、水泳において繰り返される泳者の所定の動作を意味し得る。
【００４６】
これにより、選手状態表示システム１では、水泳中の泳者の映像に対して当該泳者の１つのストロークに対応するストローク区間を可視化した選手状態表示画像を重畳した選手映像が、表示装置４（または後述する表示部２３）に表示されるため、泳者の運動状態を容易に把握することが可能となる。
【００４７】
そのような選手映像は、例えば図３に示すように、水泳中（ここでは、競技中）の複数の泳者Ｓａ−Ｓｆが撮影された原映像の適所に、運動状態の把握対象である泳者（ここでは、泳者Ｓａ）に関する選手状態表示画像３１が表示されたものである。選手状態表示画像３１は、原映像に設定された略矩形の表示領域に重なるように表示される。この場合、当該表示領域に表示されていた原映像の一部は、選手状態表示画像３１により遮蔽されるか、或いは、選手状態表示画像３１を半透明化することにより、透けて視認可能である。なお、このように、選手状態表示画像３１を半透明化する場合、その画像の色や透過率などをユーザの好みによって設定できるようにしてもよい。
【００４８】
また、選手状態表示画像３１には、可視化された各ストローク区間の境界を定める複数のストローク区間ライン３２ａ−３２ｆが含まれる。これらストローク区間ライン３２ａ−３２ｆは、レーン１２の延在方向に対して直交するように配置されており、例えば、ストローク区間ライン３２ａとストローク区間ライン３２ｂとの間の１つの画像領域が、泳者Ｓａの第１のストロークのストローク区間３３ａを示す（ストローク区間ライン３２ｂ−３２ｆに関するストローク区間３３ｂ−３３ｅについても同様。）。選手状態表示画像３１では、泳者の移動（前進）にともない新たなストローク区間が追加表示される。
【００４９】
このように、選手映像では、水泳中の泳者Ｓａの各ストローク区間３３ａ−３３ｅを可視化した選手状態表示画像３１が表示されるため、泳者Ｓａの運動状態を容易に把握することが可能となる。
【００５０】
なお、選手状態表示画像３１については、選手映像（各フレーム）中の任意の位置に配置することができる。図３では、単独の泳者Ｓａについて、選手状態表示画像３１が表示される構成としたため、選手状態表示画像３１の配置の自由度は高く、選手状態表示画像３１は、泳者Ｓａのレーン１２ａ上のみならず、隣の泳者Ｓｂのレーン１２ｂ上にも重畳することが可能である。ただし、選手状態表示画像３１については、単独の泳者Ｓａに限らず、後述するように複数の泳者に対して表示される構成とすることもできる。
【００５１】
また、各ストローク区間３３ａ−３３ｅでは、それぞれの矩形領域の上段に各ストローク区間３３ａ−３３ｅにおける泳者Ｓａの移動距離及び移動速度を示す数値データ（例えば、ストローク区間３３ａにおける移動距離「０．８７ｍ」および移動速度「０．９０ｍ／ｓ」を示す数値画像）が示されている。この数値データは、プロセッサ２１による解析用映像の解析（泳者の追跡処理）により得られたものである。また、選手状態表示画像３１には、数値データとして泳者Ｓａの現時点でのストローク回数（ここでは、「ストローク数５」の文字）が表示される。
【００５２】
このように、選手状態表示画像３１では、泳者Ｓａのストローク区間に基づくストローク回数、移動距離、及び移動速度（または、それらのうちの少なくとも１つ）に関する数値データが表示されるため、泳者Ｓａの運動状態をより容易に把握することが可能となる。なお、図３では、現時点の泳者Ｓａのストローク回数（現在のストローク区間３３ｅに対応するストローク回数）のみを表示する構成としたが、選手映像に含まれる全てのストローク区間３３ａ−３３ｅの各々に対応するストローク回数を表示してもよい。なお、泳者Ｓａのストローク区間に基づくストローク回数、移動距離、及び移動速度（または、それらのうちの少なくとも１つ）に関する数値データは、各ストローク毎の数値データに限らず、過去の１つ以上のストローク区間に関する数値データとの平均（例えば現ストロークと１つ前のストロークと２つ前のストロークの計３つのストロークでの平均）としてもよい。
【００５３】
また、各ストローク区間３３ａ−３３ｅの下段には、後に詳述する泳者Ｓａの身体の所定部分（ここでは、泳者Ｓａの上半身、腕）に関する複数の状態（以下、「身体状態」という。）を可視化した部分状態画像（ここでは、異なる身体状態ごとに互いに識別可能に色分けされた複数の矩形領域）が示される。なお、身体状態の詳細については、後の図５−図８に関して詳述する。
【００５４】
このように、選手状態表示画像３１では、泳者Ｓａのストローク区間３３ａにおける泳者Ｓａの身体の所定部分に関する状態を可視化した部分状態画像が表示されるため、泳者Ｓａの運動状態をより容易に把握することが可能となる。なお、部分状態画像については、少なくとも複数の状態を識別可能な限りにおいて、矩形領域の色分けに限らず、例えばグラデーション（複数の階調）で複数の状態を表現してもよい。
【００５５】
また、選手状態表示画像３１には、可視化された潜水区間の境界を定める潜水区間ライン３５ａ、３５ｂが含まれる。潜水区間ライン３５ａは、泳者Ｓａが潜水を開始した位置を示す。また、潜水区間ライン３５ｂは、泳者Ｓａが潜水を終了した位置を示し、ここでは、最初のストローク区間ライン３２ａと重複した状態にある。また、潜水区間ライン３５ａ、３５ｂは、ストローク区間ライン３２ａ−３２ｆと同様にレーン１２の延在方向に対して直交するように配置されており、潜水区間ライン３５ａ、３５ｂの間の画像領域が、泳者Ｓａのスタート時またはターン時の潜水区間３６を示す。なお、泳者Ｓａが潜水を開始した位置を示す潜水区間ライン３５ａは、泳者Ｓａが潜水を開始した厳密な位置に限らず、例えばスタート位置やターン位置、すなわちプール壁の位置としてもよい。
【００５６】
また、潜水区間３６では、各ストローク区間３３ａ−３３ｅと同様に、上段に潜水区間３６における泳者Ｓａの移動距離及び移動速度を示す数値データ（ここでは、移動距離「９．８ｍ」および移動速度「１．８ｍ／ｓ」を示す数値画像）が示されている。また、潜水区間３６の下段には、潜水区間であることを示す画像（ここでは、部分状態画像と異なる色が付された矩形領域）が示される。
【００５７】
このように、選手状態表示画像３１では、泳者Ｓａの潜水区間を可視化した潜水区間（潜水状態画像）３６が表示されるため、泳者Ｓａの潜水状態をより容易に把握することが可能となる。
【００５８】
なお、プロセッサ２１では、上述のような選手状態表示画像を生成（運動状態情報を生成）するにあたり、泳者の運動状態について公知の解析手法に基づくストローク解析を実行することが可能である。そのような解析手法としては、例えば、"HOOF特徴量による動作強度を用いた水泳選手のストローク解析"（ViEW 2016 IS1-16 箱崎 浩平, 青木 義満(慶應大)）、X. Tong, L. Duan, C. Xu, Q. Tian, and H. Lu, "Local motion  analysis and its application in video based swimming style recognition", submitted to BMVC 2005.、L. Sha, P. Lucey, S. Sridharan, S. Morgan, and D. Pease, "Understanding and analyzing a large collection of archived swimming videos," in 2014 IEEE Winter Conference on Applications of Computer Vision (WACV), 2014 IEEE Winter Conference on. pp. 674-681.、C. X. Ries and R. Lienhart. Automatic pose initialization of swimmers in videos. volume 7543, page 75430J. SPIE, 2010.等に開示された技術を適宜利用することができる。
【００５９】
また、選手映像では、例えば図４に示すように、泳者Ｓａの所定のストローク区間（ここでは、ストローク区間３３ｅ）における泳者Ｓａの予め設定された運動状態指標（ここでは、移動距離）が最大（または最小）である場合、当該ストローク区間３３ｅを強調表示する構成も可能である。ここでは、強調表示の例として、ストローク区間３３ｅを囲む枠線４０を表示した例を示している。ただし、強調表示としては、ストローク区間３３ｅに特定の色を付す方法や、ストローク区間３３ｅの画像のみを他のストローク区間よりも拡大して示す方法や、ストローク区間３３ｅを目立たせるための装飾画像（例えば、矢印や星印）を表示するなど種々の方法を採用することが可能である。また、各ストローク区間３３ａ−３３ｅの表示を、区間の長さに応じて色の階調が変化するグラデーションで表示することにより、最大（または最小）区間を色味の違いで目立たせる方法を採用することも可能である。
【００６０】
再び図２を参照して、映像生成装置３には、プロセッサ２１による処理に必要な情報を記憶する記憶部２２と、映像生成装置３の処理等に関する各種情報を表示する表示部２３と、映像生成装置３のユーザの入力操作に供される入力部２４と、通信インタフェースを含む通信部２５とが設けられている。
【００６１】
記憶部２２は、ＨＤＤ（Hard Disk Drive）や、ＳＳＤ（Solid State Drive）等の公知のストレージによって構成される。記憶部２２は、解析用カメラ２Ａからの解析用映像のデータや、原映像用カメラ２Ｂからの原映像のデータを含め、映像生成装置３による選手映像の生成処理に必要なデータや情報を記憶する。
【００６２】
表示部２３は、公知の構成を有するディスプレイ（例えば、液晶ディスプレイ）から構成される。表示部２３は、映像生成装置３によって実行される処理に関する情報を表示する一方、表示装置４と同様に、映像生成装置３で生成される選手映像を表示する表示装置として機能することが可能である。
【００６３】
入力部２４は、映像生成装置３のユーザの入力操作に供されるマウスやキーボードなどの入力装置によって構成される。また、入力部２４には、通信ポートや無線通信デバイスなどの入力インタフェースが含まれ得る。
【００６４】
通信部２５は、解析用カメラ２Ａ、原映像用カメラ２Ｂ、及び表示装置４等の外部装置に通信可能に接続され、それら外部装置との間で各種映像データや、制御指令等を送受信可能である。通信部２５と外部装置との通信は、公知の有線通信規格または無線通信規格に基づき実行可能である。
【００６５】
なお、上述の映像生成装置３における各部は、公知の構成を有するバス２６によって接続され、必要なデータを相互に交換可能である。
【００６６】
図５、図６、及び図７は、それぞれ図３に示した選手映像に表示される身体状態の第１の例（自由形２状態）、第２の例（バタフライ２状態）、及び第３の例（平泳ぎ２状態）を示す図であり、図８は、図５に示した身体状態の変形例（自由形４状態）を示す図である。
【００６７】
例えば図５に示すように、泳法が自由形（クロール）の場合には、身体状態について、泳者Ｓの左腕を掻く動作に関する第１の状態と、泳者Ｓの右腕を掻く動作に関する第２の状態との２状態で表すことができる。つまり、上述の図３および図４に示された部分状態画像では、互いに識別可能に色分けされた複数の矩形領域がそれらの２状態に対応する。
【００６８】
また、例えば図６に示すように、泳法がバタフライの場合には、身体状態について、泳者Ｓの上半身（少なくとも一部）が概ね水面５０上にある第１の状態と、泳者Ｓの上半身が概ね水面５０下にある第２の状態との２状態で表すことができる。
【００６９】
また、例えば図７に示すように、泳法が平泳ぎの場合には、身体状態について、泳者Ｓの上半身（少なくとも一部）が概ね水面５０上にある第１の状態と、泳者Ｓの上半身が概ね水面５０下にある第２の状態との２状態で表すことができる。
【００７０】
なお、上述の身体状態の設定については、自由形、バタフライ、及び平泳ぎ以外の他の泳法にも同様に適用することが可能である。また、身体状態は、２状態に限らず、例えば図８に示すように、より多くの状態を設定することも可能である。
【００７１】
図８に示す自由形（クロール）では、身体状態について、泳者Ｓの左腕が水面５０上にある第１の状態と、泳者Ｓが泳者Ｓの左腕を掻く動作から右腕を掻く動作に移行する際の両腕が水面５０上にない第２状態と、泳者Ｓの右腕が水面５０上にある第３の状態と、泳者Ｓが泳者Ｓの右腕を掻く動作から左腕を掻く動作に移行する際の両腕が水面５０上にない第４状態との４状態で表すことができる。
【００７２】
なお、身体状態については、上述のような上半身や腕に限らず、少なくとも選手の運動状態を反映し且つ互いに識別可能な状態である限りにおいて、泳者の身体の所定部分に関する複数の状態を設定することが可能である。例えば、泳者の腕の位置に基づき複数の状態を設定してもよい。
【００７３】
図９は選手状態表示システムによる選手映像（複数表示）を示す図であり、図１０は、図９に示した選手映像の変形例を示す図である。なお、以下で特に言及しない事項については、上述の図３または図４と同様とする。
【００７４】
図３および図４の例では、単独の泳者Ｓａに関する選手状態表示画像３１を表示する例を示したが、図１０では、複数の泳者Ｓａ−Ｓｃに関する選手状態表示画像３１ａ−３１ｃを表示する例を示す。略矩形状をなす選手状態表示画像３１ａ−３１ｃは、対応する各泳者Ｓａ−Ｓｃのレーン１２ａ−１２ｃの幅と同一かそれ以下の幅（図１０の上下方向の幅）を有するように設定され、かつ各泳者Ｓａ−Ｓｃの後方に配置される。
【００７５】
また、図９では、泳者Ｓａ−Ｓｃの各ストローク区間（図示の便宜上、図９では泳者Ｓａのストローク区間のみに符号３３ａ−３３ｆが付されている。）には、泳者Ｓａ−Ｓｃの移動距離及び移動速度を示す数値データが示される一方、図３のストローク区間３３ａ−３３ｆで表示されていた部分状態画像が省略されている。ただし、これに限らず、ストローク区間３３ａ−３３ｆの数値データを省略し、図３に示したような部分状態画像を代わりに表示することも可能である。
【００７６】
また、図１０に示すように、図９においてストローク区間３３ａ−３３ｆに示される数値データの代わりに、予め設定された複数の数値（または数値範囲）に対応して色分けされた画像領域を表示する構成も可能である。この場合、領域の色分けに限らず、例えばグラデーション（複数の階調）で数値（または数値範囲）を表現してもよい。なお、同様の構成を先の図３に示した数値データに適用することも可能である。
【００７７】
図１１は、図３に示した選手映像における選手映像の設定画面６０の一例を示す図である。
【００７８】
映像生成装置３では、プロセッサ２１は、例えば図１１に示すような選手映像の設定画面６０を表示部２３（または表示装置４）に表示させ、この設定画面６０におけるユーザの設定入力に基づき選手映像の表示内容を変更することが可能である。
【００７９】
設定画面６０には、選手映像において選手状態表示画像３１を表示すべき泳者を選択する泳者選択フィールド（泳者選択画面）６１が含まれる。この泳者選択フィールド６１において、ユーザは、１以上の泳者の識別番号１−８を選択することにより、運動状態を確認したい泳者の選手状態表示画像３１を選手映像に表示させることができる。なお、選手映像において選手状態表示画像３１を表示すべき泳者を選択する方法はこれに限らず、例えば映像生成装置３のキーボードの数字キーの押下によって、表示すべき泳者の選択をＯＮ／ＯＦＦするとしてもよい。
【００８０】
また、設定画面６０には、選手映像において表示すべき数値データ（ここでは、ストローク回数、移動距離、及び移動速度）を選択するデータ選択フィールド（データ選択画面）６２が含まれる。このデータ選択フィールド６２において、ユーザは、各ストロークの距離表示（移動距離）、各ストロークの速度表示（移動速度）、及びストローク数表示（ストローク回数）のうちの少なくとも１つを選択することにより、運動状態を確認したい泳者の数値データを表示させることができる。なお、データ選択フィールド６２における項目がいずれも選択されない場合には、図３に示した部分状態画像のみが表示される。
【００８１】
また、設定画面６０には、オプション設定として、泳者の身体の所定部分（ここでは、上半身、腕など）に関する身体状態の数をユーザに設定させる状態数設定フィールド（状態数設定画面）６３が含まれる。この状態数設定フィールド６３において、ユーザは、身体状態の数について、ストロークを２分割表示（２状態）およびストロークを４分割表示（４状態）のいずれかを選択することができる。なお、状態数設定フィールド６３において、ユーザは、潜水区間表示を選択することにより、選手映像（選手状態表示画像３１）に潜水区間３６を表示させることが可能である。
【００８２】
図１２は、図１に示した映像生成装置３による選手映像の生成処理の流れを示すフロー図である。
【００８３】
プロセッサ２１による選手映像（選手状態表示画像）の生成処理では、まず、ストローク開始フラグがＯＦＦに設定され、また、解析用映像のフレームに関するフレームカウントが０に設定され、さらに、解析用映像に基づき解析される泳者のストロークに関するストロークカウントが０に設定される（ＳＴ１０１）。
【００８４】
次に、解析用映像から１フレームずつの画像の読込が実行される（ＳＴ１０２）。続いて、ステップＳＴ１０２で読み込んだ画像に基づき、泳者の位置推定を含むストローク解析の処理が実行される（ＳＴ１０３）。
【００８５】
次に、ステップＳＴ１０３でのストローク解析の結果から、当該フレームが泳者のストロークの始点に相当するか否かが判定される（ＳＴ１０４）。そこで、ストロークの始点に相当しない場合（ＳＴ１０４：Ｎｏ）には、フレームカウントがカウントアップされ（ＳＴ１０５）、さらに、ストロークカウントが０であるか否かが判定される（ＳＴ１０６）。このとき、ストロークカウントが０である場合（ＳＴ１０６：Ｙｅｓ）には、泳者は潜水動作中であるため、選手映像（選手状態表示画像３１）には潜水区間であることを示す画像が表示される（ＳＴ１０７）。一方、ストロークカウントが０でない場合（ＳＴ１０６：Ｎｏ）には、泳者はストローク動作中であるため、選手映像（選手状態表示画像３１）にはストローク区間を示す画像が表示される（ＳＴ１０８）。
【００８６】
また、ステップＳＴ１０４において、当該フレームが泳者のストロークの始点に相当する場合（Ｙｅｓ）には、さらに、ストロークが開始されたことを示すストローク開始フラグがＯＮ状態にあるか否かが判定される（ＳＴ１０９）。そこで、ストローク開始フラグがＯＮ状態にない場合（ＳＴ１０９：Ｎｏ）には、ストローク開始フラグがＯＮに設定される（ＳＴ１１０）。ここでは、泳者の潜水動作が終了したため、選手映像（選手状態表示画像３１）には潜水区間３６の終了を示す画像が表示される（ＳＴ１１１）。その後、フレームカウントが０に設定され（ＳＴ１１２）、再びステップＳＴ１０２に戻る。
【００８７】
また、ステップＳＴ１０９において、ストローク開始フラグがＯＮ状態にある場合（Ｙｅｓ）には、所定のストローク区間が終了したため、選手映像（選手状態表示画像３１）にはストローク区間の終了を示す画像が表示される（ＳＴ１１３）。続いて、ストロークカウントのカウントアップおよびフレームカウントを０に設定する処理が実行される（ＳＴ１１４）。
【００８８】
その後、泳者がターン動作を実行中か否かが判定され（ＳＴ１１５）、ターン動作中でない場合（Ｎｏ）には、再びステップＳＴ１０２に戻る。一方、ターン動作中にある場合（Ｙｅｓ）には、一連の処理を終了し、その後の選手映像の生成については、再びステップＳＴ１０１から同様の処理が開始される。
【００８９】
図１３は、図２に示した映像生成装置による原映像用カメラ２Ｂの撮影方向の変形例を示す図である。
【００９０】
上述の図３および図４等に示した例では、原映像用カメラ２Ｂでは、プール５におけるレーン１２の延在方向が表示映像において概ね水平方向となるように撮影方向が定められる。ただし、これに限らず、例えば図１３に示すように、原映像用カメラ２Ｂでは、プール５におけるレーン１２の延在方向が表示映像において概ね垂直方向となるように撮影方向を定めることもできる。この場合、図１３では図示を省略しているが、選手状態表示画像３１は、レーンの延在方向に沿って表示することができる。また、図１３の例では、各レーン１２の領域は、概ね台形に表示されるため、選手状態表示画像３１も台形に表示することができる。また、解析用カメラ２Ａも図１３に示すように、プール５におけるレーン１２の延在方向が表示映像において概ね垂直方向となるように撮影方向を定めてもよい。
【００９１】
以上、本開示を特定の実施の形態に基づいて説明したが、これらの実施の形態はあくまでも例示であって、本開示はこれらの実施の形態によって限定されるものではない。例えば、選手状態表示システム１は、水泳に限らず、陸上競技の走種目などの他の運動種目に適用することが可能である。例えば陸上競技の走種目の場合には、泳者の代わりに走者の運動状態に関する情報を含む選手映像が生成され、またプール５の各レーン１２の代わりに、陸上競技場の各トラックにおける運動状態が解析対象となる。また、選手状態表示システム１の対象となる選手は、必ずしも人に限らず、競争を行う馬や犬等の動物であってもよい。なお、上記実施形態に示した本開示に係る選手状態表示システムおよび選手状態表示方法の各構成要素は、必ずしも全てが必須ではなく、少なくとも本発明の範囲を逸脱しない限りにおいて適宜取捨選択することが可能である。
【産業上の利用可能性】
【００９２】
本開示に係る選手状態表示システムおよび選手状態表示方法は、運動中の選手を表示する映像において、選手の運動状態を容易に把握することを可能とし、選手の運動状態を映像として表示する選手状態表示システムおよび選手状態表示方法などとして有用である。
【符号の説明】
【００９３】
１    ：選手状態表示システム
２Ａ  ：解析用カメラ
２Ｂ  ：原映像用カメラ
３    ：映像生成装置
４    ：表示装置
５    ：プール
１１  ：コースロープ
１２（１２ａ−１２ｃ）  ：レーン
２１  ：プロセッサ
２２  ：記憶部
２３  ：表示部
２４  ：入力部
２５  ：通信部
２６  ：バス
３１（３１ａ−３１ｃ）  ：選手状態表示画像
３２ａ−３２ｆ  ：ストローク区間ライン
３３ａ−３３ｆ  ：ストローク区間
３５ａ、３５ｂ  ：潜水区間ライン
３６  ：潜水区間
４０  ：枠線
５０  ：水面
６０  ：設定画面
６１  ：泳者選択フィールド
６２  ：データ選択フィールド
６３  ：状態数設定フィールド
Ｓ（Ｓａ−Ｓｆ）  ：泳者
【図１】
2018126310.tif 000003
【図２】
2018126310.tif 000004
【図３】
2018126310.tif 000005
【図４】
2018126310.tif 000006
【図５】
2018126310.tif 000007
【図６】
2018126310.tif 000008
【図７】
2018126310.tif 000009
【図８】
2018126310.tif 000010
【図９】
2018126310.tif 000011
【図１０】
2018126310.tif 000012
【図１１】
2018126310.tif 000013
【図１２】
2018126310.tif 000014
【図１３】
2018126310.tif 000015
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
泳者の運動状態に関する情報を含む泳者映像を生成する処理をプロセッサにより実行する泳者状態表示システムであって、
前記泳者映像を表示する表示装置を備え、
前記プロセッサは、
移動中の前記泳者を撮影した解析用映像から得られた情報に基づき、移動中に繰り返される前記泳者の少なくとも１つの所定動作に対応する移動区間を可視化した泳者状態表示画像を順次生成し、前記移動中の前記泳者を含む映像に前記泳者状態表示画像が前記泳者を追尾する形態で重畳された映像を前記泳者映像として生成することを特徴とする泳者状態表示システム。
【請求項２】
前記プロセッサは、
前記移動区間における前記泳者の身体の所定部分に関する複数の状態を可視化した部分状態画像を含む前記泳者状態表示画像を生成することを特徴とする請求項１に記載の泳者状態表示システム。
【請求項３】
前記泳者状態表示画像は、前記泳者の１つのストロークに対応する移動区間であるストローク区間を可視化した画像であることを特徴とする請求項１に記載の泳者状態表示システム。
【請求項４】
前記プロセッサは、
前記ストローク区間における前記泳者の上半身または腕に関する複数の状態を可視化した部分状態画像を含む前記泳者状態表示画像を生成することを特徴とする請求項３に記載の泳者状態表示システム。
【請求項５】
前記プロセッサは、
前記泳者がストロークを伴わずに移動する潜水区間を可視化した潜水状態画像を含む前記泳者状態表示画像を生成することを特徴とする請求項３または請求項４に記載の泳者状態表示システム。
【請求項６】
前記プロセッサは、
前記解析用映像から得られた情報に基づき、前記ストローク区間に基づくストローク回数、移動距離、及び移動速度のうちの少なくとも１つに関する数値データを取得し、前記数値データに関する数値画像を含む前記泳者状態表示画像を生成することを特徴とする請求項３から請求項５のいずれかに記載の泳者状態表示システム。
【請求項７】
前記プロセッサは、
前記泳者の所定の前記ストローク区間における当該泳者の予め設定された運動状態指標が最大または最小である場合、当該ストローク区間を強調表示した前記泳者状態表示画像を生成することを特徴とする請求項３から請求項６のいずれかに記載の泳者状態表示システム。
【請求項８】
前記プロセッサは
前記映像に複数のレーンでそれぞれ水泳中の複数の泳者が含まれる場合、前記泳者状態表示画像を生成すべき少なくとも１人の泳者の選択をユーザに促す泳者選択画面を前記表示装置へ出力することを特徴とする請求項３から請求項７のいずれかに記載の泳者状態表示システム。
【請求項９】
前記プロセッサは、
前記泳者の身体の所定部分に関する状態の数をユーザに設定させる状態数設定画面を前記表示装置へ出力することを特徴とする請求項２に記載の泳者状態表示システム。
【請求項１０】
前記プロセッサは、
前記泳者映像に重畳すべき前記ストローク回数、前記移動距離、及び前記移動速度に関する前記数値画像のうちの少なくとも１つの選択をユーザに促すデータ選択画面を前記表示装置へ出力することを特徴とする請求項６に記載の泳者状態表示システム。
【請求項１１】
泳者の運動状態に関する情報を含む泳者映像を生成する処理をプロセッサにより実行する泳者状態表示方法であって、
移動中の前記泳者を撮影した解析用映像から得られた情報に基づき、移動中に繰り返される前記泳者の少なくとも１つの所定動作に対応する移動区間を可視化した泳者状態表示画像を順次生成し、前記移動中の前記泳者を含む映像に前記泳者状態表示画像が前記泳者を追尾する形態で重畳された映像を前記泳者映像として表示装置に対して出力することを特徴とする泳者状態表示方法。
【手続補正３】
【補正対象書類名】明細書
【補正対象項目名】０００１
【補正方法】変更
【補正の内容】
【０００１】
本開示は、泳者の運動状態を映像として表示する泳者状態表示システムおよび泳者状態
表示方法に関する。
【手続補正４】
【補正対象書類名】明細書
【補正対象項目名】０００６
【補正方法】変更
【補正の内容】
【０００６】
本開示は、このような従来技術の課題を鑑みて案出されたものであり、運動中の泳者を表示する映像において、泳者の運動状態を容易に把握可能とする泳者状態表示システムおよび泳者状態表示方法を提供することを主目的とする。
【手続補正５】
【補正対象書類名】明細書
【補正対象項目名】０００７
【補正方法】変更
【補正の内容】
【０００７】
本開示の泳者状態表示システムは、泳者の運動状態に関する情報を含む泳者映像を生成する処理をプロセッサにより実行する泳者状態表示システムであって、前記泳者映像を表示する表示装置を備え、前記プロセッサは、移動中の前記泳者を撮影した解析用映像から得られた情報に基づき、移動中に繰り返される前記泳者の少なくとも１つの所定動作に対応する移動区間を可視化した泳者状態表示画像を順次生成し、前記移動中の前記泳者を含む映像に前記泳者状態表示画像が前記泳者を追尾する形態で重畳された映像を前記泳者映像として生成することを特徴とする。
【手続補正６】
【補正対象書類名】明細書
【補正対象項目名】０００８
【補正方法】変更
【補正の内容】
【０００８】
本開示によれば、運動中の泳者を表示する映像において、順次生成される泳者状態表示画像によって、各移動区間の泳者の運動状態を容易に把握することが可能となる。
【手続補正７】
【補正対象書類名】明細書
【補正対象項目名】００１０
【補正方法】変更
【補正の内容】
【００１０】
上記課題を解決するためになされた第１の発明は、泳者の運動状態に関する情報を含む泳者映像を生成する処理をプロセッサにより実行する泳者状態表示システムであって、前記泳者映像を表示する表示装置を備え、前記プロセッサは、移動中の前記泳者を撮影した解析用映像から得られた情報に基づき、移動中に繰り返される前記泳者の少なくとも１つの所定動作に対応する移動区間を可視化した泳者状態表示画像を順次生成し、前記移動中の前記泳者を含む映像に前記泳者状態表示画像が前記泳者を追尾する形態で重畳された映像を前記泳者映像として生成することを特徴とする。
【手続補正８】
【補正対象書類名】明細書
【補正対象項目名】００１１
【補正方法】変更
【補正の内容】
【００１１】
これによると、運動中の泳者を表示する映像において、順次生成される泳者状態表示画像によって、各移動区間の泳者の運動状態を容易に把握することが可能となる。
【手続補正９】
【補正対象書類名】明細書
【補正対象項目名】００１２
【補正方法】変更
【補正の内容】
【００１２】
また、第２の発明では、前記プロセッサは、前記移動区間における前記泳者の身体の所定部分に関する複数の状態を可視化した部分状態画像を含む前記泳者状態表示画像を生成することを特徴とする。
【手続補正１０】
【補正対象書類名】明細書
【補正対象項目名】００１３
【補正方法】変更
【補正の内容】
【００１３】
これによると、泳者の移動区間における当該泳者の身体の所定部分に関する状態を可視化した部分状態画像がさらに重畳された泳者映像が表示装置に表示されるため、運動中の泳者を表示する映像において、泳者の運動状態をより容易に把握することが可能となる。
【手続補正１１】
【補正対象書類名】明細書
【補正対象項目名】００１４
【補正方法】変更
【補正の内容】
【００１４】
また、第３の発明では、前記泳者状態表示画像は、前記泳者の１つのストロークに対応する移動区間であるストローク区間を可視化した画像であることを特徴とする。
【手続補正１２】
【補正対象書類名】明細書
【補正対象項目名】００１５
【補正方法】変更
【補正の内容】
【００１５】
これによると、水泳中の泳者の映像にストローク区間を可視化した画像を重畳した泳者映像が表示装置に表示されるため、水泳中の泳者を表示する映像において、泳者の運動状態を容易に把握することが可能となる。
【手続補正１３】
【補正対象書類名】明細書
【補正対象項目名】００１６
【補正方法】変更
【補正の内容】
【００１６】
また、第４の発明では、前記プロセッサは、前記ストローク区間における前記泳者の上半身または腕に関する複数の状態を可視化した部分状態画像を含む前記泳者状態表示画像を生成することを特徴とする。
【手続補正１４】
【補正対象書類名】明細書
【補正対象項目名】００１７
【補正方法】変更
【補正の内容】
【００１７】
これによると、泳者のストローク区間における当該泳者の上半身または腕に関する状態を可視化した部分状態画像がさらに重畳された泳者映像が表示装置に表示されるため、水泳中の泳者を表示する映像において、泳者の運動状態をより容易に把握することが可能となる。
【手続補正１５】
【補正対象書類名】明細書
【補正対象項目名】００１８
【補正方法】変更
【補正の内容】
【００１８】
また、第５の発明では、前記プロセッサは、前記泳者がストロークを伴わずに移動する潜水区間を可視化した潜水状態画像を含む前記泳者状態表示画像を生成することを特徴とする。
【手続補正１６】
【補正対象書類名】明細書
【補正対象項目名】００１９
【補正方法】変更
【補正の内容】
【００１９】
これによると、泳者の潜水区間を可視化した潜水状態画像がさらに重畳された泳者映像が表示装置に表示されるため、水泳中の泳者を表示する映像において、泳者の潜水状態をより容易に把握することが可能となる。
【手続補正１７】
【補正対象書類名】明細書
【補正対象項目名】００２０
【補正方法】変更
【補正の内容】
【００２０】
また、第６の発明では、前記プロセッサは、前記解析用映像から得られた情報に基づき、前記ストローク区間に基づくストローク回数、移動距離、及び移動速度のうちの少なくとも１つに関する数値データを取得し、前記数値データに関する数値画像を含む前記泳者状態表示画像を生成することを特徴とする。
【手続補正１８】
【補正対象書類名】明細書
【補正対象項目名】００２２
【補正方法】変更
【補正の内容】
【００２２】
また、第７の発明では、前記泳者の所定の前記ストローク区間における当該泳者の予め設定された運動状態指標が最大または最小である場合、当該ストローク区間を強調表示した前記泳者状態表示画像を生成することを特徴とする。
【手続補正１９】
【補正対象書類名】明細書
【補正対象項目名】００２３
【補正方法】変更
【補正の内容】
【００２３】
これによると、予め設定された運動状態指標（例えば、ストローク区間の長さ、移動速度など）が最大または最小となるストローク区間を強調表示した泳者状態表示画像が表示装置に表示されるため、水泳中の泳者を表示する映像において、泳者の運動状態をより容易に把握することが可能となる。
【手続補正２０】
【補正対象書類名】明細書
【補正対象項目名】００２４
【補正方法】変更
【補正の内容】
【００２４】
また、第８の発明では、前記プロセッサは前記映像に複数のレーンでそれぞれ水泳中の複数の泳者が含まれる場合、前記泳者状態表示画像を生成すべき少なくとも１人の泳者の選択をユーザに促す泳者選択画面を前記表示装置へ出力することを特徴とする。
【手続補正２１】
【補正対象書類名】明細書
【補正対象項目名】００２５
【補正方法】変更
【補正の内容】
【００２５】
これによると、映像に水泳中の複数の泳者が含まれる場合でも、ユーザの選択に基づき
所望の泳者状態表示画像を容易に生成することが可能となる。
【手続補正２２】
【補正対象書類名】明細書
【補正対象項目名】００２６
【補正方法】変更
【補正の内容】
【００２６】
また、第９の発明では、前記プロセッサは、前記泳者の身体の所定部分に関する状態の数をユーザに設定させる状態数設定画面を前記表示装置へ出力することを特徴とする。
【手続補正２３】
【補正対象書類名】明細書
【補正対象項目名】００２７
【補正方法】変更
【補正の内容】
【００２７】
これによると、ユーザの選択に基づき、所望の数の状態が可視化された部分状態画像が重畳された泳者映像を容易に取得することが可能となる。
【手続補正２４】
【補正対象書類名】明細書
【補正対象項目名】００２８
【補正方法】変更
【補正の内容】
【００２８】
また、第１０の発明では、前記プロセッサは、前記泳者映像に重畳すべき前記ストローク回数、前記移動距離、及び前記移動速度に関する前記数値画像のうちの少なくとも１つの選択をユーザに促すデータ選択画面を前記表示装置へ出力することを特徴とする。
【手続補正２５】
【補正対象書類名】明細書
【補正対象項目名】００２９
【補正方法】変更
【補正の内容】
【００２９】
これによると、ユーザの選択に基づき、所望の数値データが重畳された泳者映像を容易に取得することが可能となる。
【手続補正２６】
【補正対象書類名】明細書
【補正対象項目名】００３０
【補正方法】変更
【補正の内容】
【００３０】
また、第１１の発明では、泳者の運動状態に関する情報を含む泳者映像を生成する処理をプロセッサにより実行する泳者状態表示方法であって、移動中の前記泳者を撮影した解析用映像から得られた情報に基づき、移動中に繰り返される前記泳者の少なくとも１つの所定動作に対応する移動区間を可視化した泳者状態表示画像を順次生成し、前記移動中の前記泳者を含む映像に前記泳者状態表示画像が前記泳者を追尾する形態で重畳された映像を前記泳者映像として表示装置に対して出力することを特徴とする。
【手続補正２７】
【補正対象書類名】明細書
【補正対象項目名】００３１
【補正方法】変更
【補正の内容】
【００３１】
これによると、運動中の泳者を表示する映像において、順次生成される泳者状態表示画像によって、各移動区間の泳者の運動状態を容易に把握することが可能となる。